(57)【要約】【課題】止め具の近傍においてテープの芯部に務歯を有さない離脱部を形成し、この離脱部においてスライダの柱部が務歯に当接して該スライダの解除方向（ファスナ開成方向）への移動を規制（禁止）すべく構成することにより、クリップ等の別部材が一切不要で、かつスライダにロックユニットや停止爪などの複雑なスライダ停止機構を設ける必要もなく、一度ファスナを閉操作すると、ファスナの開操作が不可となり、充填材の放出を阻止する特定の用途に有効なファスナの提供を目的とする。【解決手段】一対のテープ２，３の芯部４，５に設けられた務歯６，７と、一対の務歯６，を噛合および解除するスライダ９とを備えたファスナ１であって、止め具１０，１１の近傍において上記芯部４，５には務歯６，７を有さない離脱部２０を形成し、該離脱部２０においてスライダ９の柱部１６が務歯６，７に当接して該スライダ９の解除方向への移動を規制すべく構成したことを特徴とする。【選択図】　　図５
2004105401.tif 000002
【特許請求の範囲】
【請求項１】
一対のテープの芯部に設けられた務歯と、一対の務歯を噛合および解除するスライダとを備えたファスナであって、
止め具の近傍において上記芯部には務歯を有さない離脱部を形成し、
該離脱部においてスライダの柱部が務歯に当接して該スライダの解除方向への移動を規制すべく構成した
ファスナ。
【請求項２】
上記離脱部は上止め具と下止め具とを有するファスナの上止め具近傍に形成された
請求項１記載のファスナ。
【請求項３】
上記離脱部は両端に下止め具を有するファスナ噛合方向側の下止め具近傍に形成された
請求項１記載のファスナ。
【請求項４】
上記スライダの引手はテープの表側または裏側に対応して設けられた
請求項１〜３の何れか１に記載のファスナ。
【発明の詳細な説明】
【０００１】
【発明の属する技術分野】
この発明は、一対のテープの芯部に設けられた務歯と、一対の務歯を噛合（ファスナ閉成）および解除（ファスナ開成）するスライダとを備えたようなファスナに関する。
【０００２】
【従来の技術】
一般にファスナは左右一対の布製のテープの芯部にそれぞれ設けられた務歯と、これら一対の務歯を一方向への移動により噛合させてファスナを閉成すると共に、逆方向への移動により噛合を解除してファスナを開成するスライダとを備えており、このスライダの操作でファスナを開閉自在に構成している。
【０００３】
ところで、内部にそば殻、ビーズ、スポンジなどの充填材が充填された枕やシートクッション、シートバック、ヘッドレスト、アームレストなどの部材等においては、上述の充填材の不用意な放出を阻止する目的で、一度ファスナを閉めるとファスナの開操作が不可となることが要請される。
【０００４】
このような要請に対応すべく従来、次のような構造のファスナが既に発明されている。
すなわち、テープの一端側に本来設けられる止め金具をなくし、スライダでファスナを閉じた後に、このスライダをテープから完全に外し、このスライダの取外し後に、別部材のクリップ等の止め具を用いてテープをかしめ固定するものである（例えば特許文献１参照）。
【０００５】
【特許文献１】
実公平３−３２７２号公報。
【０００６】
【発明が解決しようとする課題】
しかし、上述の従来構造のファスナにおいては別部材のクリップ等の止め具が必要となるばかりでなく、テープをかしめ固定する新たな工程が必要となり、結果的にファスナがコスト高となる問題点があった。
【０００７】
この発明は、止め具の近傍においてテープの芯部に務歯を有さない離脱部を形成し、この離脱部においてスライダの柱部が務歯に当接して該スライダの解除方向（ファスナ開成方向）への移動を規制（禁止）すべく構成することにより、クリップ等の別部材が一切不要で、かつスライダにロックユニットや停止爪などの複雑なスライダ停止機構を設ける必要もなく、一度ファスナを閉操作すると、ファスナの開操作が不可となり、充填材の放出を阻止する特定の用途に有効なファスナの提供を目的とする。
【０００８】
【課題を解決するための手段】
この発明によるファスナは、一対のテープの芯部に設けられた務歯と、一対の務歯を噛合および解除するスライダとを備えたファスナであって、止め具の近傍において上記芯部には務歯を有さない離脱部を形成し、該離脱部においてスライダの柱部が務歯に当接して該スライダの解除方向への移動を規制すべく構成したものである。
【０００９】
上記構成によれば、スライダで一対の務歯を噛合させた後に、このスライダを離脱部に移動させると、スライダを解除方向（ファスナの開成方向）へ移動しようとしても、該スライダの柱部が務歯に当接または衝合して、このスライダの解除方向への移動を禁止することができる。
【００１０】
しかも、上述のスライダの解除方向への移動規制構造は、止め具の近傍において芯部に務歯を有さない離脱部を設けることで構成することができるので、クリップ等の別部材やかしめ工程が一切不要で、かつスライダにロックユニットや停止爪などの複雑なスライダ停止機構を設ける必要もなく、その構造の簡略化を図ることができる。
さらに、一度ファスナを閉操作すると、ファスナの開操作が不可となるため、充填材の放出を阻止する上述の特定用途に有効となる。
【００１１】
この発明の一実施態様においては、上記離脱部は上止め具と下止め具とを有するファスナの上止め具近傍に形成されたものである。
上記構成によれば、上止め具の近傍においてファスナの開操作を禁止することができる。
【００１２】
この発明の一実施態様においては、上記離脱部は両端に下止め具を有するファスナ噛合方向側の下止め具近傍に形成されたものである。
上記構成によれば、下止め具の近傍においてファスナの開操作を禁止することができる。
【００１３】
この発明の一実施態様においては、上記スライダの引手はテープの表側または裏側に対応して設けられたものである。
上記構成によれば、引手を表裏何れに設けたファスナにも適用でき、汎用性の拡大を図ることができる。
【００１４】
【実施例】
この発明の一実施例を以下図面に基づいて詳述する。
図面はファスナを示し、図１において、このファスナ１は左右一対の布製のテープ２，３に芯部４，５を設け、これらの各芯部４，５には金属製または樹脂製の務歯６，７をそれぞれ噛合および解除可能に形成している。
【００１５】
図１は図示の便宜上ファスナ１を閉成した状態で示すが、ファスナ１の開放側端部には図４に拡大図で示すように、止め具としての下止め金具８を設けている。
この下止め金具８は務歯６，７および芯部４，５を一体にかしめ固定して左右の両テープ２，３を一体化すると共に、スライダ９のそれ以上の移動を阻止するものである。
【００１６】
また、ファスナ１の閉鎖側端部には図５に拡大図で示すように止め具としての上止め金具１０，１１を設けている。これらの上止め金具１０，１１はテープ２，３の芯部４，５に一体にかしめ固定されて、スライダ９のそれ以上の移動を阻止するものである。
【００１７】
図２、図３はスライダ９の拡大図（但し、図２は図３のＡ−Ａ線矢視断面図に相当する拡大図）であって、このスライダ９は上方に立ち上がる一対のガイド片１２，１２を備えた下片部１３と、下方に立ち下がる一対のガイド片１４，１４を備えた上片部１５と、先端部中央において上片部１５と、下片部１３とを一体に連結する柱部１６（連結部）と、上片部１５の上面側にテープ２，３の表面と対応するように設けられた引手支持片１７に対して起伏自在に取付けられた引手１８とを有し、上下の両片部１５，１３からなるスライダボディには柱部１６とガイド片１２，１４との各要素により略Ｙ字状のガイド溝１９が形成されている。
【００１８】
このスライダ９は一対の務歯６，７を噛合（ファスナ閉成）および解除（ファスナ開成）するもので、左右のテープ２，３における芯部４，５および務歯６，７は該スライダ９の略Ｙ字状のガイド溝１９に案内される。また、このスライダ９は合成樹脂または金属の何れで構成してもよい。
【００１９】
図５に示すように上止め金具１０，１１の近傍においてファスナ開閉領域内（つまり下止め金具８と上止め金具１０，１１との間）の芯部４，５には務歯６，７を有さない所定長さの離脱部２０が形成されていて、この離脱部２０においてスライダ９の柱部１６内端が務歯６または７（但し、この実施例では務歯６）に当接して該スライダ９の解除方向（ファスナ開成方向）への移動を規制（禁止）するように構成している。なお務歯６，７を合成樹脂で形成する場合には芯部４，５から対向する務歯側へ突出する務歯６，７の突出部分のみを切り落として離脱部２０と成してもよい。
【００２０】
ここで、上述のファスナ１は、内部にそば殻、ビーズ、スポンジなどの充填材が充填されていた枕やシートクッション、シートバック、ヘッドレスト、アームレストなどの部材や物品に対して、縫合手段、高周波ウエルダ等の熱融着手段または接着剤による接合手段にて取付けられて、使用に供される。
【００２１】
このように構成したファスナ１において、図４に示すように上述のスライダ９をファスナ閉鎖方向（同図の矢印ａ方向）へ操作すると、左右一対の務歯６，７は略Ｙ字状のガイド溝１９におけるガイド片１２，１２，１４，１４が左右に対向する部分において噛合されるので、スライダ９の移動によって順次ファスナ１を閉じることができる。
【００２２】
図４に示す状態から図５に仮想線αで示すように、スライダ９を閉鎖端部まで移動させると、スライダ９は務歯６，７から離脱してして、スライダ９の逆戻りを阻止（ロック）する離脱部２０に位置し、スライダ９の柱部１６は噛合された閉鎖端部側の務歯６の外端面と対向する。つまり柱部１６の長手方向と務歯６の長手方向とが直交するように対向する。
【００２３】
このため、スライダ９を図５に矢印ｂで示す解除方向（ファスナの開成方向）へ移動しようとしても、図５の仮想線α位置から図５の実線位置まで移動した時、スライダ９の柱部１６が上述の閉鎖端部側の務歯６の外端面と当接または衝合して、該スライダ９はその解除方向への移動が禁止される。
要するに、一度ファスナを閉操作すると、ファスナの開操作が不可となるものである。
【００２４】
このように図１〜図５で示した実施例のファスナは、一対のテープ２，３の芯部４，５に設けられた務歯６，７と、一対の務歯６，７を噛合および解除するスライダ９とを備えたファスナであって、止め具（上止め金具１０，１１参照）の近傍において上記芯部４，５には務歯６，７を有さない離脱部２０を形成し、該離脱部２０においてスライダ９の柱部１６が務歯６に当接して該スライダ９の解除方向への移動を規制すべく構成したものである。
【００２５】
この構成によれば、スライダ９で一対の務歯６，７を噛合させた後に、このスライダ９を離脱部２０に移動させると、スライダ９を解除方向（ファスナの開成方向）へ移動しようとしても、該スライダ９の柱部１６が務歯６に当接または衝合して、このスライダ９の解除方向（図５の矢印ｂ方向参照）への移動を禁止することができる。
【００２６】
しかも、上述のスライダ９の解除方向への移動規制構造は、止め具（ファスナ閉鎖方向端部の上止め金具１０，１１参照）の近傍において芯部４，５に務歯６，７を有さない離脱部２０を設けることで構成することができるので、クリップ等の別部材やかしめ工程が一切不要で、かつスライダ９にロックユニットや停止爪などの複雑なスライダ停止機構を設ける必要もなく、その構造の簡略化を図ることができる。
さらに、一度ファスナを閉操作すると、ファスナの開操作が不可となるため、充填材の放出を阻止する上述の用途に有効となる。
【００２７】
また、上記離脱部２０は上止め金具１０，１１と下止め金具８とを有するファスナ１の上止め金具１０，１１の近傍に形成されたものである。
この構成によれば、上止め金具１０，１１の近傍においてファスナ１の開操作を禁止することができる。
【００２８】
図６、図７はファスナの他の実施例を示し、先の実施例においてはファスナ開放端に下止め金具８を設け、ファスナ閉鎖端に上止め金具１０，１１（図１参照）を設けたが、図６、図７に示すこの実施例においては、ファスナ開放端およびファスナ閉鎖端の双方に下止め金具８，２１を用いたものである。
そして、この実施例においては図７に示すようにファスナ噛合方向側の下止め金具２１近傍に所定長さの離脱部２０を形成したものである。
【００２９】
このように、上述の離脱部２０が両端に下止め金具８，２１を有するファスナ噛合方向側の下止め金具２１の近傍に形成されたものであって、構成によれば、下止め金具２１の近傍においてファスナの開操作を禁止することができる。
【００３０】
図６、図７に示すこの実施例においても、その他の構成、作用、効果については先の実施例とほぼ同様であるから、図６、図７において前図と同一の部分には同一符号を付して、その詳しい説明を省略する。
【００３１】
図８、図９はファスナのさらに他の実施例を示し、先の各実施例においてはスライダ９の引手１８をテープ２，３の表側に対応するように設けたが、図８、図９に示す実施例においてはスライダ９の引手２３をテープ２，３の裏側に対応するように設けたものである。
【００３２】
すなわち、スライダ９の下片部１３の下面側にテープ２，３の裏側と対応するように引手支持片２３を形成し、この引手支持片２３に対して上述の引手２３を超伏自在に取付けたものである。
なお、図８は上止め金具１０，１１と下止め金具８とを有するファスナ１を示し、図９は両端に下止め金具８，２１を有するファスナ１を示す。
【００３３】
このようにスライダ９の引手１８，２３はテープ２，３の表側または裏側に対応して設けられたものであるから、引手１８，２３を表裏何れに設けたファスナ１にも上記構成を適用することができ、汎用性の拡大を図ることができる。
【００３４】
図８、図９に示す各実施例においても、その他の構成、作用、効果については先の実施例とほぼ同様であるから、図８、図９において、前図と同一の部分には同一符号を付して、その詳しい説明を省略する。
【００３５】
この発明の構成と、上述の実施例との対応において、
この発明の上止め具は、実施例の上止め金具１０，１１に対応し、
以下同様に、
下止め具は、下止め金具８，２１に対応するも、
この発明は、上述の実施例の構成のみに限定されるものではない。
【００３６】
例えば上記構成は金属ファスナ、樹脂ファスナ（ナイロンファスナ、デルリンファスナ参照）、またはコンシールファスナの何れにも適用することができる。またスライダ９のデザインおよび務歯６，７による噛合部の長さは図示実施例のものに限定されるものではない。
【００３７】
【発明の効果】
この発明によれば、止め具の近傍においてテープの芯部に務歯を有さない離脱部を形成し、この離脱部においてスライダの柱部が務歯に当接して該スライダの解除方向（ファスナ開成方向）への移動を規制（禁止）すべく構成したので、クリップ等の別部材が一切不要で、かつスライダにロックユニットや停止爪などの複雑なスライダ停止機構を設ける必要もなく、一度ファスナを閉操作すると、ファスナの開操作が不可となり、充填材の放出を阻止する特異用途に有効となる効果がある。
【図面の簡単な説明】
【図１】本発明のファスナの全体構造を示す概略図。
【図２】スライダの断面図。
【図３】スライダの側面図。
【図４】ファスナ閉成時の拡大図。
【図５】スライダの移動規制を説明する拡大図。
【図６】本発明のファスナの他の実施例を示す全体概略図。
【図７】図６のファスナの移動規制を説明する拡大図。
【図８】ファスナのさらに他の実施例を示す背面図。
【図９】ファスナのさらに他の実施例を示す背面図。
【符号の説明】
１…ファスナ
２，３…テープ
４，５…芯部
６，７…務歯
８，２１…下止め金具（下止め具）
９…スライダ
１０，１１…上止め金具（上止め具）
１６…柱部
１８，２３…引手
２０…離脱部
【図１】
2004105401.tif 000003
【図２】
2004105401.tif 000004
【図３】
2004105401.tif 000005
【図４】
2004105401.tif 000006
【図５】
2004105401.tif 000007
【図６】
2004105401.tif 000008
【図７】
2004105401.tif 000009
【図８】
2004105401.tif 000010
【図９】
2004105401.tif 000011